(57)【要約】      （修正有）【課題】ヴァイオリン弓の中空軸スティックに、ヘッド，及びフロッグを、取付け取離し自由自在とし、弓毛として極細ナイロン糸を利用したヴァイオリンの弓の提供。【解決手段】ヴァイオリン弓のスティック５に、中空軸グラスファイバー及び中空軸カーボングラファイトを利用することにより、軽くて、しなやか、強靭な中空軸スティック５が形成される。中空軸スティック５の左端には、ヘッド６を挿入し取付け、右端には調節ねじ８を有するフロッグ７を挿入し取付け、ヘッド６とフロッグ７の間に、ヴァイオリン弓毛として、極細ナイロン糸９を使用し、シャー音を抑制し、ヴァイオリンの芸術性を高め、スティック，ヘッド、フロッグ等の互換性を利用することにより，経済的にも大幅コストダウンとなり，利用価値を高める。【選択図】図４
0003134585.tif 000002
【実用新案登録請求の範囲】
【請求項１】
ヴァイオリン弓のスティック（棹）として、中空軸としたグラスファイバー及びカーボングラファイトを、ヴァイオリン弓のスティックとして利用し、このスティックの両端に、取付け取離し自由自在の、ヘッド（頭部）及びフロッグ（弓糸箱）を取付けて、ナイロン糸を弓毛として演奏する、グラカーボ・ヴァイオリン弓の制作。
【考案の詳細な説明】
【技術分野】
【０００１】  本考案はヴァイオリン弓のスティックに、ヘッド、フロッグ、弓糸を、取付け取離し自由自在としたものであります。
【背景技術】
【０００２】  現在は、ヴァイオリン弓のスティックとヘッドとは一体であり、フロッグはスティックの一部を削溝して取付け、ねぢ金具にて、ヴァイオリン弓毛の張力を調整しています。
【考案の開示】
【考案が解決しようとする課題】
【０００３】  ヴァイオリン弓の、スティックとヘッドが一体であると、一部分の故障によりても、修理に経済的負担が多くなります。各部分の取付け取離し自由自在とすることによりヴァイオリン弓の価値を損こねることなく、経済的負担も少なくなります。
【課題を解決するための手段】
【０００４】  本考案はヴァイオリン弓の主幹であるスティックを、グラスファイバー及びカーボングラファイトの材料を利用し、軽くて、しなやかで強靭な中空軸となしヘッド、フロッグもこの中空軸スティックに取付け摺動し、ヴァイオリンの音響効果を高めます。
【考案の効果】
【０００５】  上述の様に、ヴァイオリン弓のスティックに、中空軸のグラスファイバー及びカーボングラファイトを利用し、これを主幹スティックとすることにより、軽くてしなやか，強靭，芸術感を有するスティックが形成されます。スティックにはフロッグを取付けるための削溝は不必要で傷は付かず、中空軸によるヴァイオリンの音響伝達は効果的となります。ヘッドは部分的に作るため制作コストは低費です。音響効果も良好です。ヴァイオリン弓糸として極細ナイロン糸を多数使用し、シャー音を抑制してヴァイオリンの芸術性を高めています。ナイロン糸は市場，家庭にも常時存在し、経済的にも利用価値を高めます。
【考案を実施するための最良の形態】
【０００６】  ヴァイオリン弓のスティックのフロッグ側に、弓糸を装着したフロッグを挿入取付け、スティックのヘッド側に弓糸を装着したヘッドを挿入取付け、弓糸に、ヴァイオリンを演奏するに適当な張力を施した位置で固定し演奏します。
【実施例】
【０００７】  以下，添付画面に従って説明します。図４の中空軸スティック５はヴァイオリン弓の主幹で、この中空軸スティック５の左端にはヘッド６が挿入取付けられ，右端には調節ねじ８を有するフロッグ７を挿入取付けします、ヘッド６とフロッグ７の間にはヴァイオリン弓用ナイロン糸９を装着、適度の張力にて固定し、ヴァイオリンを演奏します。
【図面の簡単な説明】
【０００８】
【図１】  現在のヴァイオリン弓の正面図
【図２】  図１の側面図
【図３】  図１の下面図
【図４】  本考案の，グラカーボ・ヴァイオリン弓，正面図
【図５】  図４の側面図
【図６】  図４の下面図
【図７】  図４のスティック５の正面図
【図８】  図７の側面図
【図９】  図４のヘッド６の正面図
【図１０】  図９側面図
【図１１】  図４のフッログ７の正面図
【図１２】  図１１の側面図
【符号の説明】
【０００９】  １  現在の、ヴァイオリン弓の、スティック（棹部），及び、ヘッド（頭部）
２  現在の、ヴァイオリン弓の、フロッグ調節ねじ
３  現在の、ヴァイオリン弓の、フロッグ（弓毛箱）
４  現在の、ヴァイオリン弓の  弓毛（馬毛）
５  本考案の、ヴァイオリン弓の、中空軸スティック（棹部）
６  本考案の、ヴァイオリン弓の、ヘッド（頭部）
７  本考案の、ヴァイオリン弓の、フロッグ（弓糸箱）
８  本考案の，ヴァイオリン弓の、フロッグ調節ねじ
９  本考案の、ヴァイオリン弓の、弓糸（ナイロン糸）
【図１】
0003134585.tif 000003
【図２】
0003134585.tif 000004
【図３】
0003134585.tif 000005
【図４】
0003134585.tif 000006
【図５】
0003134585.tif 000007
【図６】
0003134585.tif 000008
【図７】
0003134585.tif 000009
【図８】
0003134585.tif 000010
【図９】
0003134585.tif 000011
【図１０】
0003134585.tif 000012
【図１１】
0003134585.tif 000013
【図１２】
0003134585.tif 000014
【手続補正書】
【提出日】平成19年5月9日(2007.5.9)
【手続補正１】
【補正対象書類名】実用新案登録請求の範囲
【補正対象項目名】全文
【補正方法】変更
【補正の内容】
【実用新案登録請求の範囲】
【請求項１】
中空軸のグラスファイバー又は中空軸のカーボングラファイトを、ヴァイオリン弓のスティックとして利用し、このスティックの両端に、取付け取離し自由自在のヘッド及びフロッグを挿入取付け，ナイロン糸を弓毛とするヴァイオリン弓。
【手続補正２】
【補正対象書類名】明細書
【補正対象項目名】全文
【補正方法】変更
【補正の内容】
【考案の詳細な説明】
【技術分野】
【０００１】  本案はヴァィオリン弓のスティックに、ヘッド、フロッグ、弓糸を、取付け取離し自由自在としたものです。
【背景技術】
【０００２】  従来は、ヴァィオリン弓のスティックとヘッドとは一体であり、フロッグはスティックの一部を削溝して取付け、ねじ金具にて、ヴァイオリン弓毛の張力を調整します。
【考案の開示】
【考案が解決しようとする課題】
【０００３】  ヴァィオリン弓の、スティックとヘッドが一体であると、一部分の故障でも、修理に経済的負担が多くなります。各部分の取付け取離し自由自在にすることにより、
ヴァィオリン弓の価値を損ねることなく，経済的負担も少なくなります。
【課題を解決するための手段】
【０００４】  本考案はヴァィオリン弓のフロッグを取付けるための削溝は不用であり、軽くて、しなやか、強靭で音響効果の良い中空軸のグラスファイバー又は中空軸のカーボングラファイトを利用し，ヘッド，フロッグもこの中空軸に挿入取付けします。
【考案の効果】
【０００５】  上述の様にヴァイオリン弓のスティックの削溝は不用であり、軽くて、しなやか、強靭で、音響効果の良い、中空軸のグラスファイバー又は中空軸のカーボングラファイトを利用し、ヘッド、フロッグも、この中空軸に挿入取付け摺動し、ヴァイオリン弓毛として極細ナイロン糸を多数使用することにより、ヴァイオリン特有のシャー音を抑制し音響効果を高めます。
【考案を実施するための最良の形態】
【０００６】  ヴァイオリン弓のスティックのフロッグ側に、弓糸を装着したフロッグを挿入取付け、スティックのヘッド側に、弓糸を装着したヘッドを挿入取付け、弓糸にヴァイオリンを演奏するに最適な張力を施した位置で固定し演奏します。
【実施例】
【０００７】  以下添付画面に従って実施例を説明します。
図３のヴァイオリン弓の、中空軸スティック５の右端には調整ねじ８を有するフロッグ７を挿入取付け、左端にはヘッド６を挿入取付け、フロッグ７とヘッド６との間には、ヴァイオリン弓用、極細ナイロン糸９を装着し、適度の張力にして、フロッグ調整ねじ８にて固定し、ヴァイオリンを演奏します。
【図面の簡単な説明】
【０００８】
【図１】      従来のヴァイオリン弓の正面図
【図２】      図１の側面図
【図３】      本考案のヴァイオリン弓の正面図
【図４】      図３の側面図
【図５】      図３のスティック５の正面図
【図６】      図３のヘッド６の正面図
【図７】      図３のヘッド６の上面図
【符号の説明】
【０００９】  １        従来のヴァイオリン弓のスティック及びヘッド
２        従来のヴァイオリン弓のフロッグ調整ねじ
３        従来のヴァイオリン弓のフロッグ
４        従来のヴァイオリン弓の馬毛
５        本考案のヴァイオリン弓の中空軸スティック
６        本考案のヴァイオリン弓のヘッド
７        本考案のヴァイオリン弓のフロッグ
８        本考案のヴァイオリン弓のフロッグ調整ねじ
９        本考案のヴァイオリン弓のナイロン弓糸
【手続補正３】
【補正対象書類名】図面
【補正対象項目名】全図
【補正方法】変更
【補正の内容】
【図１】
0003134585.tif 000015
【図２】
0003134585.tif 000016
【図３】
0003134585.tif 000017
【図４】
0003134585.tif 000018
【図５】
0003134585.tif 000019
【図６】
0003134585.tif 000020
【図７】
0003134585.tif 000021